(57)【要約】【課題】塵芥防止網を保護しつつ、塵芥防止網に付着した塵芥を除去できる塵芥吸引装置及び塵芥除去システムを提供する。【解決手段】塵芥吸引装置であって、吸引ポンプと、吸引ポンプに接続する吸引ホースと、吸引ホースの吸引ポンプとは反対側の端部に接続され、塵芥が流入する吸引口が設けられている吸引ノズルと、塵芥防止網を吸引ノズルから保護する保護部と、を有する。前記保護部は、吸引口を覆い、かつ、塵芥が通過できる複数の開口が形成される。塵芥吸引装置は、塵芥防止網に付着した塵芥を吸引口から吸引する。【選択図】図４
2015140536.tif 000002
【特許請求の範囲】
【請求項１】
塵芥防止網に付着した塵芥を吸引する塵芥吸引装置であって、
吸引ポンプと、
前記吸引ポンプに接続する吸引ホースと、
前記吸引ホースの前記吸引ポンプとは反対側の端部に接続され、前記塵芥が流入する吸引口が設けられている吸引ノズルと、
前記塵芥防止網を前記吸引ノズルから保護する保護部と、を有し、
前記保護部は、前記吸引口を覆い、かつ、前記塵芥が通過できる複数の開口が形成されることを特徴とする塵芥吸引装置。
【請求項２】
前記保護部は、前記吸引口の開口面に直交する方向において、前記吸引口と所定距離以上離れていることを特徴とする請求項１に記載の塵芥吸引装置。
【請求項３】
前記保護部は、前記吸引口の長手方向に延在する複数の第１棒状部材と、前記吸引口の短手方向に延在する複数の第２棒状部材と、が交差した格子形状であり、
前記第１棒状部材は、両端に屈曲部が形成され、端部が前記吸引ノズルに固定されており、
前記第１棒状部材の前記屈曲部に配置された前記第２棒状部材は、前記第１棒状部材の前記吸引口側に配置されていることを特徴とする請求項１または請求項２に記載の塵芥吸引装置。
【請求項４】
前記第１棒状部材の前記屈曲部以外に配置された前記第２棒状部材は、前記第１棒状部材の前記吸引口側とは反対側に配置されていることを特徴とする請求項３に記載の塵芥吸引装置。
【請求項５】
請求項１から請求項４のいずれか一項に記載の塵芥吸引装置と、
前記塵芥吸引装置の前記吸引ノズルを着脱可能な状態で支持する作業装置を有し、前記作業装置で前記吸引ノズルの位置を移動させる作業機械と、
前記作業機械を支持する支持機構と、を有することを特徴とする塵芥除去システム。
【請求項６】
前記支持機構は、水の流れ方向において、前記塵芥防止網よりも上流側に配置されていることを特徴とする請求項５に記載の塵芥除去システム。
【請求項７】
前記支持機構は、地面に固定されていることを特徴とする請求項５または請求項６に記載の塵芥除去システム。
【発明の詳細な説明】
【技術分野】
【０００１】
本発明は、塵芥の侵入を抑制する塵芥防止網から塵芥を除去する塵芥吸引装置及び塵芥除去システムに関するものである。
【背景技術】
【０００２】
水が流入する施設としては、例えば、冷却水として水を使用する発電施設、タービンを回転させる動力として水が流入する水力発電施設、浄水のために水を流入させる浄水施設等がある。これらの施設では、流入する水に塵芥が混入していると、水を使用する各設備を損傷させたり、使用できない状態となったりする。なお、塵芥としては、海であれば、クラゲ等の海洋生物、流木、落ち葉、ごみ等があり、川や湖であれば、流木、落ち葉、ごみ等がある。
【０００３】
このため、当該施設では、取水路に流入する塵芥を低減させるために、取水路よりも上流側の固定型の塵芥防止網を設けている（特許文献１、特許文献２参照）。塵芥防止網は、塵芥よりも目の細かい網であり、塵芥をせき止める。また、特許文献１には、塵芥防止網をエンドレスベルトとし回転させることで塵芥が付着していない部分が水中にある状態としている。また、特許文献２の装置では、プロペラで所定の方向に水流を形成することで、塵芥を移動させることが記載されている。
【先行技術文献】
【特許文献】
【０００４】
【特許文献１】特開平７−２１６８５６号公報
【特許文献２】特開平１０−２９２３５２号公報
【発明の概要】
【発明が解決しようとする課題】
【０００５】
ここで、塵芥が大量に発生する場合がある。例えば、夏季にクラゲが大量に発生することがある。このように、クラゲ等の塵芥が大量に発生すると、塵芥防止網に大量の塵芥が付着し目詰まりが起こる。このため、塵芥防止網を通過する水が減少し、取水路から取水できる取水量が低下する。これに対して、特許文献１の装置では、塵芥が大量に発生した場合、塵芥防止網を移動させることができないおそれがあり、特許文献２の装置では、移動させた塵芥が再び塵芥防止網に付着してしまう。
【０００６】
本発明は、上述した課題を解決するものであり、塵芥防止網を保護しつつ、塵芥防止網に付着した塵芥を除去できる塵芥吸引装置及び塵芥除去システムを提供することを目的とする。
【課題を解決するための手段】
【０００７】
上記の目的を達成するための本発明は、塵芥防止網に付着した塵芥を吸引する塵芥吸引装置であって、吸引ポンプと、前記吸引ポンプに接続する吸引ホースと、前記吸引ホースの前記吸引ポンプとは反対側の端部に接続され、前記塵芥が流入する吸引口が設けられている吸引ノズルと、前記塵芥防止網を前記吸引ノズルから保護する保護部と、を有し、前記保護部は、前記吸引口を覆い、かつ、前記塵芥が通過できる複数の開口が形成されることを特徴とする。
【０００８】
本発明の塵芥吸引装置は、吸引ノズルが塵芥防止網の網目にかかることを抑制しつつ、塵芥防止網に付着した塵芥を吸引し、塵芥防止網から塵芥を除去することができる。これにより、塵芥防止網を保護しつつ、塵芥防止網に付着した塵芥を除去できる。
【０００９】
前記保護部は、前記吸引口の開口面に直交する方向において、前記吸引口と所定距離以上離れていることが好ましい。
【００１０】
これにより、塵芥防止網と吸引口との距離を所定距離以上にすることができ、塵芥防止網が吸引口に吸い込まれることを抑制することができる。また、塵芥防止網に付着した塵芥を吸引口から効率よく吸い込むことができる。ここで、所定距離は、塵芥防止網に付着する想定の塵芥（除去する対象として設定する塵芥）の大きさ以上とすることが好ましく、同じ距離とすることがより好ましい。
【００１１】
また、前記保護部は、前記吸引口の長手方向に延在する複数の第１棒状部材と、前記吸引口の短手方向に延在する複数の第２棒状部材と、が交差した格子形状であり、前記第１棒状部材は、両端に屈曲部が形成され、端部が前記吸引ノズルに固定されており、前記第１棒状部材の前記屈曲部に配置された前記第２棒状部材は、前記第１棒状部材の前記吸引口側に配置されていることが好ましい。
【００１２】
これにより、第１棒状部材と第２棒状部材とが、塵芥防止網の網目に引っかかることを抑制することができ、保護部が塵芥防止網に負荷を与えることを抑制できる。
【００１３】
また、前記第１棒状部材の前記屈曲部以外に配置された前記第２棒状部材は、前記第１棒状部材の前記吸引口側とは反対側に配置されていることが好ましい。
【００１４】
これにより、第１棒状部材と第２棒状部材とが、塵芥防止網の網目に引っかかることをさらに抑制することができ、保護部が塵芥防止網に負荷を与えることを抑制できる。
【００１５】
上記の目的を達成するための本発明は、塵芥除去システムであって、上記のいずれかに記載の塵芥吸引装置と、前記塵芥吸引装置の前記吸引ノズルを着脱可能な状態で支持する作業装置を有し、前記作業装置で前記吸引ノズルの位置を移動させる作業機械と、前記作業機械を支持する支持機構と、を有することを特徴とする。
【００１６】
これにより、作業機械で吸引ノズルを操作することで、塵芥防止網に付着した塵芥を除去することができ、作業者にかかる負担を小さくすることができる。
【００１７】
また、前記支持機構は、水の流れ方向において、前記塵芥防止網よりも上流側に配置されていることが好ましい。
【００１８】
これにより、塵芥が付着している側から塵芥防止網の塵芥を除去することができ、効率よく塵芥を除去することができる。
【００１９】
また、前記支持機構は、地面に固定されていることが好ましい。これにより、作業中に作業機械が移動することを抑制することができ、効率よく作業を行うことができる。
【発明の効果】
【００２０】
本発明によれば、吸引ノズルが塵芥防止網の網目にかかることを抑制しつつ、塵芥防止網に付着した塵芥を吸引し、塵芥防止網から塵芥を除去することができる。これにより、塵芥防止網を保護しつつ、塵芥防止網に付着した塵芥を除去できる。
【図面の簡単な説明】
【００２１】
【図１】図１は、塵芥除去システム、除塵システム及び発電システムの概観を表す概略図である。
【図２】図２は、塵芥除去システム及び塵芥防止網の位置関係を示す概観図である。
【図３】図３は、塵芥除去システム及び塵芥防止網の概略構成を表す概略図である。
【図４】図４は、塵芥除去システムの概略構成を示す正面図である。
【図５】図５は、吸引ノズルとアームとの接続部の概略構成を示す概略図である。
【図６】図６は、吸引ノズルの概略構成を示す上面図である。
【図７】図７は、吸引ノズルの概略構成を示す側面図である。
【図８】図８は、吸引ノズルの概略構成を示す正面図である。
【図９】図９は、保護部の概略構成を示す拡大斜視図である。
【図１０】図１０は、保護部の概略構成を示す拡大断面図である。
【図１１】図１１は、保護部の概略構成を示す拡大上面図である。
【図１２】図１２は、塵芥除去システムの動作を説明するための説明図である。
【図１３】図１３は、塵芥除去システムの動作を説明するための説明図である。
【図１４】図１４は、他の実施例の塵芥除去システム及び塵芥防止網を示す概観図である。
【発明を実施するための形態】
【００２２】
以下に添付図面を参照して、本発明に係る塵芥吸引装置及びこれを用いる塵芥除去システムの好適な実施例を詳細に説明する。なお、この実施例により本発明が限定されるものではない。例えば、本実施例は、塵芥除去システムを、発電システムが海水を取得する取水路の周囲の塵芥防止網に対して設置した場合としたが、これに限定されない。塵芥除去システムは、各種水路の周囲の塵芥防止網に対して設けることができ、水が取水路を流れ流入する施設は特に限定されない。水が流入する施設としては、例えば、冷却水として水を使用する発電施設、タービンを回転させる動力として水が流入する水力発電施設、浄水のために水を流入させる浄水施設等がある。また、本実施例では、水として海水としたが、淡水でもよい。また、塵芥除去システムは、水路の上流に設けられた塵芥防止網以外の塵芥防止網に対しても設置することができ、任意の塵芥防止網に付着した塵芥を除去することができる。また、塵芥としては、海であれば、クラゲ等の海洋生物、流木、落ち葉、ごみ等があり、川や湖であれば、流木、落ち葉、ごみ等がある。
【００２３】
図１を用いて、発電システムと除塵システムと塵芥除去システムについて説明する。図１は、本発明の塵芥除去システム、除塵システム及び発電システムの概観を表す概略図である。図２は、塵芥除去システム及び塵芥防止網の位置関係を示す概観図である。
【００２４】
発電システム１０及び除塵システム３０は、海に面した陸地に設置されている。例えば、発電システム１０は、堤防等の突出した陸地で形成された海岸線によって形成された湾に面して配置されている。発電システム１０は、湾に繋がった取水路１８が設けられており、取水路１８で湾の海水を取水している。除塵システム３０は、取水路１８に設けられており、湾から発電システム１０に流入する海水に含まれる塵芥を除去する。さらに取水路１８の上流には、塵芥防止網６０が設置されている。本実施例の塵芥除去システム１００は、塵芥防止網６０に対応して設置されており、塵芥防止網６０に付着した塵芥を除去する。以下、各部について説明する。
【００２５】
図１に示すように、発電システム１０は、蒸気タービン建屋１２と熱交換器１４と海水循環装置１６とを備える。発電システム１０は、ガスタービン、原子炉、ボイラー等の熱を発生させる発熱装置、発熱装置で発生された熱を回収し蒸気を発生させる蒸気発生器、蒸気発生器で発生した蒸気が供給される蒸気タービン、蒸気タービンとともに回転し発電する発電機等、各種機器を備えている。発電システム１０は、蒸気タービン建屋１２内に熱交換器１４が配置されている。熱交換器１４には、海との間で海水を循環させる海水循環装置１６が接続されている。
【００２６】
海水循環装置１６は、取水管２３とポンプ２４と放水管２７とを有する。取水管２３は、取水路１８と熱交換器１４とを接続する配管である。取水管２３は、取水路１８に一方の端部が配置され、他方の端部が熱交換器１４に接続されている。ポンプ２４は、取水管２３に取り付けられており、取水路１８の海水を取水管２３に吸い上げ、吸い上げた海水を取水管２３から熱交換器１４に送水する。放水管２７は、海と熱交換器１４とを接続する配管である。放水管２７は、一方の端部が熱交換器１４に接続され、他方の端部が海の中に配置されている。
【００２７】
発電システム１０は、塵芥防止網６０を通過して除塵システム３０で塵芥が取り除かれ、ポンプ２４により取水された海水を熱交換器１４に供給する。そして、熱交換器１４を通過し熱交換された海水を放水管２７から排出する。
【００２８】
除塵システム３０は、図１に示すように、除塵機３２を有する。除塵システム３０は、除塵機３２に加え、除塵機３２で除去された塵芥を回収する回収装置を設けてもよい。除塵システム３０が設置されている取水路１８は、設置面４０に対して窪んだ水路である。取水路１８は、設置面４０よりも下に水面４２がある。取水路１８は、鉛直方向下側の面が底面（地面、海底）４４となる。本実施例の底面４４は、基本的に平坦な面となる。
【００２９】
除塵機３２は、エンドレスベルト状のスクリーンを駆動ローラと従動ローラとにより所定の張力で支持している。スクリーンは、対象の塵芥よりも小さく、海水が通過できる開口または隙間が多数形成され、表面に塵芥をかき取るかき取り部材が多数配置されている。かき取り部材は、塵芥をスクリーンの近傍に維持し、塵芥をスクリーンとともに移動させることができればよく、形状及び構造は特に限定されない。スクリーンは、一部が水面４２より上に露出しており、一部が水面４２より下、つまり水中にある。除塵機３２は、スクリーンの鉛直方向下側の端部と底面４４とが、塵芥が通れない間隔となっている。なお、除塵機３２は、スクリーンの鉛直方向下側の端部に移動したかき取り部材と底面４４との間が、塵芥が通れない間隔となっていてもよい。
【００３０】
除塵機３２は、モータにより駆動ローラを回転させることで、駆動ローラの回転に従動してスクリーンが回転する。また、スクリーンの回転に従動して、従動ローラも回転する。除塵機３２は、スクリーンを回転させることで、スクリーンとともにかき取り部材が回転する。ここで、除塵機３２は、流れ方向Ｗの下流側の面が鉛直方向上側に移動する向きでスクリーンを回転させる。これにより、流れ方向Ｗに沿って移動し、スクリーンの下流側の面に到着した塵芥は、かき取り部材及びスクリーンによって鉛直方向上側に移動され、水面４２から上側に移動され、取水路１８から取り除かれる。
【００３１】
次に塵芥防止網６０について、説明する。まず、塵芥防止網６０が取り付けられる取り付け部５２について説明する。図１及び図２に示すように、取水路１８の入口（取水口）には、取水口から離れる方向が延在方向となる張出部５０が設けられている。また、取水口には、張出部５０と取水口の周囲の海岸線とを連結し、取水口の周囲を囲む取り付け部５２が配置されている。取り付け部５２は、支柱５４で底面４４から所定高さの位置で、水面４２より高い位置に支持されている。張出部５０及び取り付け部５２は、作業者が移動可能な強度と構造である。作業者は、張出部５０や、海岸線から取り付け部５２に移動して、各種作業を行う。
【００３２】
塵芥防止網６０は、図１及び図２に示すように取水口を囲むように配置されている。具体的には、塵芥防止網６０は、図１に示すように、鉛直方向上側の端部が取り付け部５２に固定され、鉛直方向下側の端部が底面４４に固定されている。これにより塵芥防止網６０は、水深方向において、海中の全域に配置される。また、図２に示すように、塵芥防止網６０は、取り付け部５２の全域に配置されている、つまり取水口の一方側の海岸線と他方側の海岸線とを結んで配置されている。これにより、湾内の海水は、塵芥防止網６０を通過した後、取水路１８に流入する。塵芥防止網６０は、海水が通過でき、所定の大きさ以上の塵芥が通過できない網目の網である。
【００３３】
塵芥防止網６０は、取水路１８の入口を囲って配置されることで、取水路１８に流入する海水に含まれる塵芥を捕獲する。具体的には、塵芥防止網６０は、網目を通過できない塵芥（網目よりも大きい塵芥）を捕獲する。これにより取水路１８に流入する海水は、塵芥が低減した状態となる。また、取水路１８に流入した海水は、除塵システム３０で塵芥がさらに除去された後、ポンプ２４により発電システム１０の各部に送水される。
【００３４】
次に、図２に加え、図３から図１３を用いて、塵芥除去システムについてより詳細に説明する。図３は、塵芥除去システム及び塵芥防止網の概略構成を表す概略図である。図４は、塵芥除去システムの概略構成を示す正面図である。図５は、吸引ノズルとアームとの接続部の概略構成を示す概略図である。図６は、吸引ノズルの概略構成を示す上面図である。図７は、吸引ノズルの概略構成を示す側面図である。図８は、吸引ノズルの概略構成を示す正面図である。図９は、保護部の概略構成を示す拡大斜視図である。図１０は、保護部の概略構成を示す拡大断面図である。図１１は、保護部の概略構成を示す拡大上面図である。図１２は、塵芥除去システムの動作を説明するための説明図である。図１３は、塵芥除去システムの動作を説明するための説明図である。
【００３５】
塵芥除去システム１００は、塵芥防止網６０が捕獲し、塵芥防止網６０に付着した塵芥を除去する。塵芥除去システム１００は、支持機構１０１と、作業機械１０２と、吸引装置（塵芥吸引装置）１０４と、を有する。
【００３６】
支持機構１０１は、作業機械１０２の通路となり、作業機械１０２が塵芥防止網６０に付着した塵芥の除去作業をする際に、作業機械１０２を支持する土台である。支持機構１０１は、移動台１０８と、複数の支柱１０９と、を有する。移動台１０８は、図３に示すように、塵芥防止網６０よりも上流側、つまり取水路１８から遠い側に設けられている。移動台１０８は、道路７０と繋がっている。移動台１０８は、塵芥防止網６０と対面する面の全域に配置されている。移動台１０８は、支柱１０９で底面４４から所定高さの位置で、水面４２より高い位置に支持されている。移動台１０８は、作業機械１０２が移動可能な幅であり、支柱１０９で支持されることで、作業機械１０２が移動可能な耐久性を備えている。
【００３７】
作業機械１０２は、アームの先端に装着された作業具で作業を行う機械、例えばバックホーであり、本体１１０と、移動機構１１２と、作業装置１１４と、操作部１１６と、駆動源１１８と、を有する。本体１１０は、上部旋回体であり、作業者が乗る操縦席や、操作部１１６、駆動源１１８が設けられている。本体１１０は、移動機構１１２の上に置かれており、作業装置１１４が装着されている。移動機構１１２は、履帯や車輪を有し、履帯や車輪を回転させることで、本体１１０を移動させる。作業装置１１４は、本体１１０と連結したブーム１２０と、ブーム１２０と連結したブーム１２２と、ブーム１２２と連結したアーム１２４と、を有する。つまり、作業装置１１４は、本体１１０からブーム１２０、ブーム１２２、アーム１２４の順で直列に連結されている。また、ブーム１２０、ブーム１２２及びアーム１２４は、それぞれの連結部が回動自在に支持されており、かつ、油圧シリンダ等で相対角度を調整する機構が設けられている。作業装置１１４は、ブーム１２０、ブーム１２２及びアーム１２４の相対角度を調整することで、本体１１０に対するアーム１２４の先端（ブーム１２２とは反対側の端部）の位置を移動させる。作業機械１０２は、アーム１２４のブーム１２２と反対側の端部（先端）には、作業具として、後述する吸引装置１０４の一部が装着される。
【００３８】
操作部１１６は、作業者が、移動機構１１２や作業装置１１４への操作を入力するレバー、ボタン、ペダル等である。駆動源１１８は、移動機構１１２や作業装置１１４を駆動させるエネルギを出力するエンジン、発電機、バッテリ等である。
【００３９】
次に、吸引装置１０４は、作業機械１０２の作業装置１１４に装着され、塵芥を吸引する。吸引装置１０４は、吸引ノズル１３０と、保護部１３１と、吸引ホース１３２と、吸引ポンプ１３４と、回収部１３６と、を有する。吸引ノズル１３０は、先端に吸引口１５２が開口され、内部に流路が形成されている。保護部１３１は、吸引ノズル１３０の吸引口１５２の周囲に設けられている。吸引ノズル１３０と、保護部１３１については後述する。
【００４０】
吸引ホース１３２は、吸引ノズル１３０と吸引ポンプ１３４を接続する。吸引ポンプ１３４は、吸引ホース１３２を介して吸引ノズル１３０の内部及び周囲の海水を吸引する。回収部１３６は、吸引ノズル１３０から吸引された海水と、海水に含まれる塵芥を分離し、塵芥のみを貯留する。排出管１３８は、回収部１３６で塵芥が分離された海水を海に排出する。
【００４１】
次に、吸引ノズル１３０及び保護部１３１について詳細に説明する。吸引ノズル１３０は、作業装置１１４のアーム１２４の先端に装着される。吸引ノズル１３０は、図５に示すように、ノズル本体１４０と、ノズル連結部１４１と、を有する。
【００４２】
ノズル本体１４０は、図６から図８に示すように、基部１５０と、基部１５０に連結され、基部１５０から離れるにしたがって、一方向の長さが大きくなり、断面が略長方形となる先端１５１と、を有する。ノズル本体１４０は、基部１５０と先端１５１の内部が空洞となっている。ノズル本体１４０は、基部１５０の先端１５１とは反対側の端部の内部の空洞が吸引ホース１３２と連結している。例えば、ノズル本体１４０は、基部１５０の側面に、その内部の空洞と繋がる開口を設け、その開口に吸引ホース１３２を接続するアタッチメントを設けることで、吸引ホース１３２と接続される。吸引口１５２は、先端１５１の先端に開口され、内部の空洞と繋がっている。吸引口１５２は、基部１５０から離れるにしたがって、一方向の長さが大きくなり、断面が略長方形となる先端１５１に設けられているため、開口の形状のアスペクト比が１でない形状、具体的には略長方形形状となる。なお、吸引口１５２の形状は矩形に限定されず、多角形でも楕円形でも、曲線と直線を組み合わせた形状としてもよい。ノズル本体１４０は、先端１５１の空洞内に整流板１５４が設けられている。整流板１５４は、吸引口１５２から基部１５０に向かう方向に延在する板状の部材であり、吸引口１５２の短手方向と吸引口１５２から基部１５０に向かう方向とで構成される面が、面積が最も大きい面となる向きで配置されている。また、整流板１５４は、吸引口１５２の長手方向に所定の間隔で複数配置されている。
【００４３】
ノズル連結部１４１は、ノズル本体１４０をアーム１２４に所定の方向に回動自在、かつ、アーム１２４で位置を調整可能な状態で、連結する機構である。ノズル連結部１４１は、基部１４２と、分岐部１４３と、連結棒１４４と、を有する。基部１４２は、ノズル本体１４０に固定され、支点１４５でアーム１２４に対して回動自在な状態で連結されている。分岐部１４３は、基部１４２から分岐した棒状の部材であり、アーム１２４の駆動部１２４ａに支点１４８で駆動部１２４ａに対して回動自在な状態で連結されている。連結棒１４４は、アーム１２４と分岐部１４３とのそれぞれと支点１４６、支点１４８でアーム１２４と分岐部１４３に対して回動自在な状態で連結されている。ノズル連結部１４１は、以上のような構造であり、駆動部１２４ａがアーム１２４に対して伸縮すると、支点１４６に対して支点１４８が移動し、ノズル本体１４０が支点１４５周りに回動する。塵芥除去システム１００は、以上のようにして、支点１４５を軸とした回転方向において、ノズル本体１４０の向きを調整することができる。ノズル本体１４０の回転方向は、吸引口１５２の短手方向に沿った向きとなる。
【００４４】
保護部１３１は、塵芥防止網６０を吸引ノズル１３０から保護する部材であり、図６から図８に示すように、吸引ノズル１３０のノズル本体１４０の先端１５１に設けられている。保護部１３１は、海水及び塵芥が通過可能な状態で、先端１５１の吸引口１５２を覆っている。
【００４５】
保護部１３１は、図９から図１１に示すように、吸引口１５２の長手方向に延在する複数の第１棒状部材１６０と、吸引口１５２の短手方向に延在する複数の第２棒状部材１６２、１６２ａとを有する。第１棒状部材１６０は、吸引口１５２の短手方向に所定の間隔で配置されている。第２棒状部材１６２は、吸引口１５２の長手方向に所定の間隔で配置されている。また、第２棒状部材１６２ａは、吸引口１５２の長手方向の端部近傍に配置されている。このように、保護部１３１は、第１棒状部材１６０と第２棒状部材１６２、１６２ａとが、所定の間隔で配置され、かつ両者が交差している。これにより、保護部１３１は、第１棒状部材１６０と第２棒状部材１６２、１６２ａとが格子形状となっている。保護部１３１は、隣接した２つの第１棒状部材１６０と隣接した２つの第２棒状部材１６２、１６２ａとで囲まれた空間が開口となり、開口を海水及び塵芥が通過する。
【００４６】
第１棒状部材１６０は、吸引口１５２の長手方向に延在している部分が先端１５１と所定の間隔離れて配置されている。また、第１棒状部材１６０は、吸引口１５２の長手方向に延在している部分よりも端側の部分がそれぞれ、先端１５１側に屈曲し、屈曲した端部が、ノズル本体１４０の先端１５１の外周面に固定されている。本実施例の第１棒状部材１６０は、屈曲している部分（屈曲部）が半円となり、なめらかに、つまり角がない状態で曲がっている。
【００４７】
第２棒状部材１６２は、吸引口１５２の短手方向に延在している部分が先端１５１と所定の間隔離れて配置されている。また、第２棒状部材１６２は、第１棒状部材１６０と同様に、吸引口１５２の短手方向に延在している部分よりも端側の部分がそれぞれ、先端１５１側に屈曲し、屈曲した端部が、ノズル本体１４０の先端１５１の外周面に固定されている。本実施例の第２棒状部材１６２は、屈曲している部分が半円となり、なめらかに、つまり角がない状態で曲がっている。また、第２棒状部材１６２は、図１０に示すように、第１棒状部材１６０よりもノズル本体１４０側、つまり吸引口１５２側に配置されている。
【００４８】
第２棒状部材１６２ａは、配置位置以外は、第２棒状部材１６２と同様の部材である。第２棒状部材１６２ａは、吸引口１５２の長手方向の端部、具体的には、第１棒状部材１６０の屈曲している部分に配置されている。第２棒状部材１６２ａは、図１０に示すように、第１棒状部材１６０よりも外側、つまりノズル本体１４０や吸引口１５２から遠い側に配置されている。
【００４９】
塵芥除去システム１００は、以上のような構成である。塵芥除去システム１００は、操作者が作業機械１０２を運転し、道路７０から移動台１０８上に移動させ、さらに、塵芥防止網６０の塵芥を除去する位置の近傍の移動台１０８まで移動させる。作業を行う位置まで作業機械１０２を移動させたら、作業装置１１４を操作し、吸引装置１０４の吸引ノズル１３０を塵芥防止網６０と対面する位置まで移動させる。その後、塵芥除去システム１００は、吸引ポンプ１３４を稼働し、吸引ノズル１３０からの吸引を開始する。これにより、塵芥除去システム１００は、図１２に示すように、塵芥防止網６０に付着した塵芥１８０を吸引し、塵芥防止網６０から塵芥１８０を除去することができる。また、塵芥除去システム１００は、図１２に示すように、作業装置１１４のアーム１２４を操作し、吸引ノズル１３０を回動させることで、吸引ノズル１３０の吸引口１５２の位置を回動させる。これにより吸引口１５２は、塵芥防止網６０の水深方向に沿って移動し、異なる位置に付着した塵芥を吸引することができる。また、作業機械１０２は、ブーム１２０、１２２、アーム１２４の位置を移動させることで、さらに広い範囲で吸引口５２の位置を移動させることができる。また、塵芥除去システム１００は、移動機構１１２を駆動し、移動台１０８上における作業機械１０２の位置を移動させ、上記作業を行うことで、塵芥防止網６０の異なる位置に付着した塵芥を塵芥防止網６０から除去することができる。
【００５０】
これにより、本実施例の塵芥除去システム１００は、夏季にクラゲが大量に発生した場合など塵芥が大量に発生したときに、塵芥除去システム１００で塵芥防止網６０に付着した塵芥を吸引することで、塵芥防止網６０に付着した塵芥を除去することができる。したがって、塵芥防止網６０に塵芥が詰まり、塵芥防止網６０を通過できる海水が減少し、取水路１８に流入する海水が減少することを抑制することができる。
【００５１】
また、吸引ノズル１３０の先端１５１及び吸引口１５２をアスペクト比が１でない形状とし、水深方向が短手方向（水面方向が長手方向）となる向きで配置することで、吸引ノズル１３０を水深方向に回動させたときにより広い範囲の塵芥防止網６０の塵芥を除去することができる。
【００５２】
また、吸引ノズル１３０は、先端１５１の内部に整流板１５４を設けることで、吸引口１５２の長手方向の各位置での吸引力を平均化することができ、塵芥防止網６０への負荷を平均化しつつ、吸引口１５２のより広い範囲で塵芥を吸引することができる。
【００５３】
また、本実施例の吸引装置１０４を用いて吸引を行うことで、塵芥防止網６０を保護しつつ、塵芥を除去することができる。具体的には、吸引ノズル１３０の吸引口１５２の周囲に保護部１３１を設けることで、図１３に示すように、吸引ノズル１３０と塵芥防止網６０とが接触することを抑制することができる。具体的には、吸引ノズル１３０と塵芥防止網６０とを距離Ｌ１以上離すことができる。これにより、吸引ノズル１３０が塵芥防止網６０を吸引することを抑制することができ、塵芥防止網６０の一部に過剰な負荷がかかることを抑制することができ、塵芥防止網６０の網目が切れたり、強度が弱くなったりすることを抑制できる。さらに、保護部１３１を設けることで、吸引ノズル１３０の隅に塵芥防止網６０の網目が引っかかることを抑制することができる。これにより、塵芥防止網６０の一部に過剰な負荷がかかることを抑制することができ、塵芥防止網６０の網目が切れたり、強度が弱くなったりすることを抑制できる。
【００５４】
また、本実施例の保護部１３１が、第１棒状部材１６０の吸引口１５２の長手方向に延在している部分、吸引口１５２と対面している部分と交差する第２棒状部材１６２を第１棒状部材１６０よりも吸引口１５２側に配置することで、吸引ノズル１３０を水深方向に回動させたときに第１棒状部材１６０の回動方向の先頭側の湾曲部に、塵芥防止網６０の網目がかかることを抑制することができる。具体的には、第１棒状部材１６０が第２棒状部材１６２よりも先に塵芥防止網６０の網目と接触し、塵芥防止網６０を支持することで、第２棒状部材１６２に網目が深く侵入することを抑制することができる。これにより、塵芥防止網６０の網目が保護部１３１に引っかかることを抑制できる。
【００５５】
また、塵芥除去システム１００は、移動台１０８を塵芥防止網６０の取水路１８とは反対側、つまり、海水の流れ方向Ｗにおいて、塵芥防止網６０よりも上流側に設けることで、塵芥防止網６０に付着している塵芥、塵芥防止網６０の塵芥が付着している側から吸引することができ、塵芥を効率よく除去することができる。また、塵芥防止網６０は、水面４２から底面４４に向かうにしたがって、取水路１８から離れる方向に傾斜している。これにより、移動台１０８を塵芥防止網６０の取水路１８とは反対側に設けることで、塵芥防止網６０が見えやすい状態で、塵芥の除去作業を行うことができる。
【００５６】
また、稼働式のアーム１２４を有する作業機械１０２に吸引装置１０４を装着することで、吸引ノズル１３０を簡単に移動させることができる。さらに作業機械１０２を移動可能とすることで、塵芥の除去を行う位置を簡単に移動することができる。また、塵芥除去システム１００は、吸引装置１０４を作業機械１０２に対して着脱可能とすることで、他の目的でも使用可能な作業機械１０２を用いることができる。これにより、必要な場合のみ作業機械１０２を使用し、必要ない場合他の用途に利用することができ、装置コストを低減することができる。
【００５７】
また、本実施形態の塵芥除去システム１００は、塵芥防止網６０を取り外したり、取水路１８に対して工事を行ったりせずに、取水路１８の外側に支持機構１０１を設けることで実行できるため、塵芥防止網６０が設置されている取水路１８を利用する施設を稼働したまま、設置することができる。これにより、種々の塵芥防止網６０が設置されている施設に、簡単に設置することができる。
【００５８】
上記実施例の吸引装置１０４は、回収部１３６で吸引した塵芥を回収したが、これに限定されず、吸引した塵芥を塵芥防止網６０に影響がない状態、例えば所定の大きさ以下に切断し、その後海に放出してもよい。
【００５９】
また、上記実施例では、支持機構１０１として、底面４４に固定された移動台１０８を設けたが、作業機械１０２を支持する機構はこれに限定されない。図１４は、他の実施例の塵芥除去システム及び塵芥防止網を示す概観図である。塵芥除去システム１００ａは、台として台船２００を備えている。台船２００は、作業機械１０２が搭載されており、推進源２１０と複数の稼働杭２２０とを有する。台船２００は、推進源２１０で任意の方向に移動する。また台船２００は、稼働杭２２０を底面（海底）４４に突き立てることで、所定の位置に固定され、稼働杭２２０を底面４４と非接触にすることで移動可能となる。
【００６０】
このように、吸引装置１０４が装着された作業機械１０２を台船２００に搭載することで、塵芥除去システム１００と同様の処理を行うことができる。
【００６１】
上記実施例では、作業者への負荷が少なく、かつ、既存の作業機械を効率よく利用できるため、吸引装置１０４を作業機械１０２に設置したがこれに限定されない。吸引装置１０４は、作業機械１０２以外の装置に装着してもよい。また、吸引装置１０４は、作業者がノズルを直接手で操作してもよい。
【符号の説明】
【００６２】
１０  発電システム
１２  蒸気タービン建屋
１４  熱交換器
１６  海水循環装置
１８  取水路
２３  取水管
２４  ポンプ
２７  放水管
３０  除塵システム
３２  除塵機
４０  設置面
４２  水面
４４  底面
５０  張出部
５２  取り付け部
５４、１０９  支柱
６０  塵芥防止網
７０  道路
１００  塵芥除去システム
１０１  支持機構
１０２  作業機械
１０４  吸引装置
１０８  移動台
１１０  本体
１１２  移動機構
１１４  作業装置
１１６  操作部
１１８  駆動源
１２０、１２２  ブーム
１２４  アーム
１２４ａ  駆動部
１３０  吸引ノズル
１３１  保護部
１３２  吸引ホース
１３４  吸引ポンプ
１３６  回収部
１３８  排出管
１４０  ノズル本体
１４１  ノズル連結部
１４２  基部
１４３  分岐部
１４４  連結棒
１４５、１４６、１４８  支点
１５０  基部
１５１  先端
１５２  吸引口
１５４  整流板
１６０  第１棒状部材
１６２  第２棒状部材
【図１】
2015140536.tif 000003
【図２】
2015140536.tif 000004
【図３】
2015140536.tif 000005
【図４】
2015140536.tif 000006
【図５】
2015140536.tif 000007
【図６】
2015140536.tif 000008
【図７】
2015140536.tif 000009
【図８】
2015140536.tif 000010
【図９】
2015140536.tif 000011
【図１０】
2015140536.tif 000012
【図１１】
2015140536.tif 000013
【図１２】
2015140536.tif 000014
【図１３】
2015140536.tif 000015
【図１４】
2015140536.tif 000016